(57)【要約】      （修正有）【課題】針状物等で薬剤容器のシール材を穿刺することで、ポートから容器本体に異物が混入された場合や異物を混入させる試みがされた場合であっても、容易にその事実を検知可能な手段を提供すること。【解決手段】薬剤を収容する容器本体に一端が接続され、内部に薬剤の流出を防止するための封止体２６が配置された薬剤の流出入用のポートの、他端を被覆するシール材１であって、シール材１は、シール材本体１１と、ポートの開口の内側に位置するようにポートと対向するシール材本体１１の面上に形成された粘着剤層１３とを備えており、シール材本体１１側からの針状物４６による押圧又は穿刺により、小片化したシール材１の一部が封止体上に付着するシール材１。【選択図】図４
2019037656.tif 000002
【特許請求の範囲】
【請求項１】
薬剤を収容する容器本体に一端が接続され、内部に前記薬剤の流出を防止するための封止体が配置された前記薬剤の流出入用のポートの、他端を被覆するシール材であって、
前記シール材は、シール材本体と、前記ポートの開口の内側に位置するように前記ポートと対向する前記シール材本体の面側に形成された粘着剤層とを備えており、
前記シール材本体側からの針状物による押圧又は穿刺により、小片化した前記シール材の一部が前記封止体上に付着するシール材。
【請求項２】
前記シール材本体は、前記粘着剤層と接する側から順に、シーラント層、内部層及び保護層の３層から構成されており、
前記シーラント層は、前記他端に対して剥離可能に接着する層であり、
前記保護層側からの針状物による押圧又は穿刺により、小片化した前記シール材の一部が前記封止体上に付着するように、層間の積層強度に差を設けた、請求項１記載のシール材。
【請求項３】
小片化した前記シール材の一部は、以下の（１）〜（４）
（１）前記粘着剤層のみ、
（２）前記粘着剤層及び前記シーラント層、
（３）前記粘着剤層、前記シーラント層及び前記内部層、
（４）前記粘着剤層、前記シーラント層、前記内部層及び前記保護層、
のいずれかから構成される、請求項２記載のシール材。
【請求項４】
前記ポートの前記開口の内側に位置するように、前記シール材本体と前記粘着剤層との間に、前記押圧又は前記穿刺により小片化が生じる破断層を備える、請求項１記載のシール材。
【請求項５】
小片化した前記シール材の一部は、前記粘着剤層と前記破断層とを少なくとも含む、請求項４記載のシール材。
【請求項６】
小片化した前記シール材の一部は、着色されている、請求項１〜５のいずれか一項に記載のシール材。
【請求項７】
薬剤を収容する容器本体と、該容器本体に一端が接続され前記薬剤を流出入させるポートと、該ポートの内部に配置され前記薬剤の流出を防止するための封止体とを備える薬剤容器であって、
前記ポートの他端は、請求項１〜６のいずれか一項に記載のシール材で被覆されている薬剤容器。
【発明の詳細な説明】
【技術分野】
【０００１】
本発明は、シール材及び薬剤容器に関する。
【背景技術】
【０００２】
従来、水・電解質の補給、栄養の補給、血管の確保、病態の治療等を目的として輸液が広く用いられている。輸液は、輸液バッグに収容して用いられるが、輸液バッグとしては、輸液を内包する容器本体と輸液排出用のポートとを有するものが一般的である。ポートの内部には、輸液の流出を防止するためのゴム栓等の封止体が配置されており、ポートの開口はシール材で被覆され、輸液バッグの使用時にはシール材の少なくとも一部が剥離される。
【０００３】
輸液がアミノ酸や特定の抗生物質を含有する場合、酸素の影響を受けやすいためポートは酸素の侵入を防御可能なものである必要があり、ある種の薬剤を含む輸液では、解離平衡を維持するために、封止体とシール材の間のポート内スペース（ヘッドスペース）を窒素ガスで置換することがある。輸液が特殊な組成でない場合であっても、ポート内の清浄のためにポートの開口をシール材で覆うのが通常である。このように、輸液バッグにおいては、ポートをシール材で被覆することで密閉状態に保つ必要があり、密閉状態が損なわれたときにはそれを外部から検知する必要がある。
【０００４】
密閉状態の検知が可能な輸液バッグとしては、例えば、ヘッドスペース内にガス検知体を配設し、密閉性が損なわれたときのガス検知体の反応を外部から目視で確認できるようにしたものが知られている（例えば、特許文献１）。
【先行技術文献】
【特許文献】
【０００５】
【特許文献１】特開２００５−３４９１８２号公報
【発明の概要】
【発明が解決しようとする課題】
【０００６】
近年、ポートから輸液バッグ内部へ意図的な異物混入が行われた事件が発生しており、異物が混入されたことを、人体に処方する前に容易に検知可能にする必要性が高まっている。
【０００７】
そこで、本発明の目的は、針状物等で薬剤容器のシール材を穿刺することで、ポートから容器本体に異物が混入された場合や異物を混入させる試みがされた場合であっても、容易にその事実を検知可能な手段を提供することにある。
【課題を解決するための手段】
【０００８】
本発明は、薬剤を収容する容器本体に一端が接続され、内部に上記薬剤の流出を防止するための封止体が配置された上記薬剤の流出入用のポートの、他端を被覆するシール材であって、上記シール材は、シール材本体と、上記ポートの開口の内側に位置するように上記ポートと対向する上記シール材本体の面側に形成された粘着剤層とを備えており、上記シール材本体側からの針状物による押圧又は穿刺により、小片化した上記シール材の一部が上記封止体上に付着するシール材、を提供する。
【０００９】
上記シール材によれば、針状物等で薬剤容器のシール材を穿刺することで、ポートから容器本体に異物が混入された場合や異物を混入させる試みがされた場合であっても、容易にその事実を検知可能となる。意図的に異物を混入させようとする者は、異物混入の痕跡を消そうとするために、容器本体を直接穿刺するのではなく、ポート側から容器本体へ異物を混入させる。すなわち、容器本体をニードル等の針状物で穿刺した場合、抜針後に薬剤が漏れ出すことから、ポートにシール材が貼り付けられた状態のまま、針状物をシール材及び封止体（ゴム栓）に突き刺して貫通させ、容器本体内部へ異物を混入させた後抜針する。抜針の結果生じた穿孔のサイズが小さかったり目立たなかった場合には、医療関係者は、シール材が貼られたままであるため未使用であると誤解して、そのまま使用してしまう可能性がある。
【００１０】
本発明のシール材は、針状物で押圧又は穿刺されると、シール材が小片化してその一部が封止体上に付着するため、針状物でシール材を押圧又は穿刺した箇所が封止体に転写され、シール材の均一性が損なわれたり、封止体上に転写された小片を穿孔から観察でき、またシール材剥離時にゴム栓上にシール材の一部が残っていることから、ポートから容器本体に異物が混入された場合や異物を混入させる試みがされた場合に、異常が生じていることが容易に視認できる。
【００１１】
シール材本体は、粘着剤層と接する側から順に、シーラント層、内部層及び保護層の３層から構成されており、上記シーラント層は、上記他端に対して剥離可能に接着する層であり、上記保護層側からの針状物による押圧又は穿刺により、小片化した上記シール材の一部が上記封止体上に付着するように、層間の積層強度に差を設けたものであってもよい。
【００１２】
シール材を多層構造にして、層間の積層強度（接着強度）に差を設けることで、層間の接着力が最も低いところで、層が剥がれることとなり、シール材の一部の小片化が容易に生じるようになる。したがって、封止体上への付着がより容易且つ確実に生じるようになる。なお、シール材がシーラント層を備えることで、ポートへの接着のための接着剤の塗布工程を省略でき、例えばヒートシールにより短時間にポートとの接着を完了できるようになる。
【００１３】
上記の場合において、小片化したシール材の一部は、以下の（１）〜（４）
（１）粘着剤層のみ、
（２）粘着剤層及びシーラント層、
（３）粘着剤層、シーラント層及び内部層、
（４）粘着剤層、シーラント層、内部層及び保護層、
のいずれかから構成されるようにしてもよい。
【００１４】
（１）の場合は粘着剤層とシーラント層の間で、（２）の場合はシーラント層と内部層との間で、（３）の場合は内部層と保護層との間で、最も積層強度が弱くなるように構成されており、（４）の場合は、層間の積層強度は同一又は異なるが、シール材全体が小片化しやすくなるようになっている。このように、（１）〜（４）の小片が封止体に転写されると、シール材の均一性、一体性が損なわれたり、穿孔が生じるため、ポートから容器本体に異物が混入された場合や異物を混入させる試みがされた場合に、その検出が容易になる。
【００１５】
シール材においては、ポートの開口の内側に位置するように、シール材本体と粘着剤層との間に、押圧又は穿刺により小片化が生じる破断層を備えるようにしてもよい。この場合において、小片化したシール材の一部は、上記粘着剤層と上記破断層とを少なくとも含むようにすることができる。シール材が破断層を有することで、シール材の小片化が容易となるため、押圧又は穿刺によってある程度の力が加われば小片化されたシール材が封止体上に付着するようになり、異物の混入やその試みの検出が容易且つ確実化する。
【００１６】
小片化した上記シール材の一部は、着色されていることが好ましい。小片が着色していると封止体上に転写されたことがより容易に視認でき、異物混入又はその試みがなされてことがより確実に検出できるようになる。
【００１７】
本発明は上述したシール材の他、薬剤容器も提供する。すなわち、本発明は、薬剤を収容する容器本体と、この容器本体に一端が接続され上記薬剤を流出入させるポートと、このポートの内部に配置され上記薬剤の流出を防止するための封止体とを備える薬剤容器であって、上記ポートの他端は、上述したシール材で被覆されている薬剤容器を提供するものである。
【００１８】
この薬剤容器は、例えば輸液バッグとして用いることができ、本発明のシール材でポートが被覆されていることから、ポートから容器本体に異物が混入された場合や異物を混入させる試みがされた場合に、シール材の均一性が損なわれたり、封止体上に転写された小片を穿孔から観察できることから、その事実を目視により容易に検出することができる。
【発明の効果】
【００１９】
本発明によれば、針状物等で薬剤容器のシール材を穿刺することで、ポートから容器本体に異物が混入された場合や異物を混入させる試みがされた場合であっても、容易にその事実を検知可能な手段を提供することができる。
【図面の簡単な説明】
【００２０】
【図１】第１実施形態の薬剤容器の上面図である。
【図２】図１のＡで示される部分の断面図である。
【図３】第１実施形態のシール材の断面図である。
【図４】ポートからニードルによる穿刺が行われたところを示す断面図である。
【図５】（ａ）は切込みを設けたシール材の上面図、（ｂ）は断面図である。
【図６】第２実施形態のシール材の断面図である。
【図７】第３実施形態のシール材の断面図である。
【図８】第４実施形態のシール材の断面図である。
【図９】ポートからニードルによる穿刺が行われたところを示す断面図である。
【図１０】第２実施形態の薬剤容器の上面図である。
【発明を実施するための形態】
【００２１】
以下、図面を参照しながら、本発明の実施形態について詳細に説明する。本説明において、同一要素には同一符号を用いることとし、重複する説明は省略する。また、各図面の寸法比率は、必ずしも実際の寸法比率とは一致していない。
【００２２】
図１は、容器本体とシール材で被覆されたポートとを備える薬剤容器（後述のように第１実施形態の薬剤容器に該当する。）の上面図であり、図２は図１のＡで示される部分の断面図である。図１に示す薬剤容器３０は、薬剤３２を収容する容器本体３４と、容器本体３４に一端が接続されたポート２０と、ポート２０の他端を被覆するシール材１とを備えている。ポート２０は筒状部２２と口部２４とから構成されており、図２に示すようにポート２０の内部には、薬剤３２の流出を防止するための封止体２６が配置されている。
【００２３】
図３は第１実施形態のシール材の断面図である。図３に示すシール材１は、シール材本体１１と、ポートの開口の内側に位置するようにポートと対向するシール材本体１１の面上に形成された粘着剤層１３とを備えている。
【００２４】
第１実施形態のシール材１においては、シール材本体１１側からの針状物による押圧又は穿刺により、小片化したシール材１の一部が封止体２６上に付着する。
【００２５】
図４は、ポート２０からニードルによる穿刺が行われたところを示す断面図である。図４においては、シリンジ本体４４とニードル４６とから構成されるシリンジ４０の内部に異物４２が導入され、これを用いて異物４２を混入させているところが示されている。ニードル４６は、封止体２６、粘着剤層１３及びシール材本体１１を貫通しており、容器本体３４の内部に異物４２が混入されている。ニードル４６の穿刺に際して、シール材本体１１と粘着剤層１３からなる小片が封止体２６上に付着している。ニードル４６をシール材１から抜針しても、粘着剤層１３の接着力で小片が封止体２６上に留まり、シール材１に生じた孔から封止体２６に付着した小片が観察できることから、異物混入の事実が容易に視認することができる。また、シール材１の剥離時にも、ポート上に付着した小片が確認できる。
【００２６】
視認性を高めるためには、小片はある程度の大きさであることが好ましく、そのような大きさの小片が生じるようにするために、シール材本体１１には切込みや目打ちが、例えば格子状に施されていてもよい。シール材本体１１が切込みや目打ちを有する場合は、その間隔に合わせて粘着剤層１３を非連続的に形成してもよい。粘着剤層１３をこのように形成することで、より容易に小片が封止体２６上に付着するようになる。
【００２７】
図５は切込みを設けた第１実施形態のシール材を示すものであり、（ａ）は切込みを設けたシール材の上面図、（ｂ）は同シール材の断面図である。図５（ａ）に示すシール材においては、シール材本体１１に切込み６２が格子状に設けられている。切込みが設けられている範囲は、粘着剤層１３が形成されている範囲の内側である。図５（ｂ）では、シール材本体１１に設けられた切込み６２が示されている。図５（ｂ）に示すシール材においては、シール材本体１１を貫通しないように切込み６２が設けられている。図５（ｂ）においては、切込み６２は、シール材本体１１の粘着剤層１３と接する面と反対の面側（上面側）から形成されているが、切込み６２は粘着剤層１３側から層を貫通しないように設けてもよい。更には、切込み６２はシール材本体１１を貫通するように設けられていてもよい。なお、層を貫通しない切込みと貫通する切込みは混在していてもよく、この場合において、層を貫通しない、シール材本体１１の上面側から設けた切込みと、層を貫通しない、粘着剤層１３側から設けた切込みとが混在していてもよい。
【００２８】
シール材においては、シーラント層と粘着剤層の間に、針状物による押圧又は穿刺により、容易に小片化する層（破断層）を設けてもよい。図６はそのようなシール材を示すものであり、第２実施形態のシール材に相当する。図６に示すシール材１は、粘着剤層１３とシール材本体１１との間に、破断層７２を備えている。破断層７２においては、シール材本体１１側から層を貫通しないように切込み６２が設けられている。なお、切込み６２は粘着剤層１３側から層を貫通しないように設けてもよい。また、切込み６２は破断層７２を貫通するように設けられていてもよい。なお、層を貫通しない切込みと貫通する切込みは混在していてもよく、この場合において、層を貫通しない、シール材本体１１側から設けた切込みと、層を貫通しない、粘着剤層１３側から設けた切込みとが混在していてもよい。
【００２９】
図６においては、破断層７２が設けられている範囲は、粘着剤層１３が設けられている範囲と同一になっているが、破断層７２が設けられる範囲は、粘着剤層１３が設けられている範囲よりも狭くてもよい。また、破断層７２が設けられる範囲は、開口の内側に位置するようになる限りにおいて、粘着剤層１３の範囲よりも広くてもよい。
【００３０】
破断層７２は、押圧又は穿刺により小片化が生じるが、粘着剤層１３も同時に小片化され、破断層７２と粘着剤層１３が積層したもの、或いは、破断層７２と粘着剤層１３とシール材本体１１の少なくとも一部とが積層したものが、封止体２６上に付着する。
【００３１】
シール材本体１１は、ポリエチレン、ポリプロピレン等のポリオレフィン、ナイロン（登録商標）、ポリエチレンテレフタレート、ポリブチレンテレフタレート等の高分子物質で形成でき、シール材本体１１は単層からなるものであっても複数層からなるものであってもよい。粘着剤層１３は、アクリル系粘着剤、合成ゴム系粘着剤、天然ゴム系粘着剤、シリコーン系粘着剤等で形成可能である。粘着剤層１３を構成する粘着剤は、封止体２６へ強く接着する強度を持ったものを選択することが好ましい。破断層７２は、セルロース、紙、ポリエチレンテレフタレート、ナイロン（登録商標）、ポリプロピレン等の高分子物質で形成させることができる。
【００３２】
図７は、第３実施形態のシール材の断面図である。図７に示すシール材１は、シール材本体１１が、シーラント層１６、内部層１５及び保護層１４がこの順で積層された３層からなっており、ポートの開口の内側に位置するようにポートと対向するシーラント層１６の面上に粘着剤層１３が形成されている。
【００３３】
シーラント層１６は、例えば、高分子物質、例えば、ポリエチレン、ポリプロピレン等のポリオレフィンで形成させることができる。内部層１５は、例えば、ナイロン（登録商標）、ポリエチレン、ポリプロピレン等の高分子物質で形成させることができ、保護層１４は、例えば、ポリエチレンテレフタレート、ポリブチレンテレフタレート、ポリプロピレン、ナイロン（登録商標）等の高分子物質で形成させることができる。なお、保護層１４は単層であっても、複数の層からなる積層体であってもよい。
【００３４】
第３実施形態のシール材１においては、小片化するシール材の一部は、以下の（１）〜（４）のいずれかから構成され得る。
（１）粘着剤層１３のみ、
（２）粘着剤層１３及びシーラント層１６、
（３）粘着剤層１３、シーラント層１６及び内部層１５、
（４）粘着剤層１３、シーラント層１６、内部層１５及び保護層１４
【００３５】
この場合において、シール材１を構成するシーラント層１６、内部層１５及び保護層１４の少なくとも一つには切込みや目打ちが、例えば格子状に施されていてもよい。このような構成にすることで、封止体２６上に付着する小片をある程度の大きさにすることができ、封止体２６に付着した小片の視認性が高められる。シール材１を構成する層が切込みや目打ちを有する場合は、その間隔に合わせて粘着剤層１３を非連続的に形成してもよい。粘着剤層１３をこのように形成することで、より容易に小片が封止体２６上に付着するようになる。
【００３６】
図８は切込みを設けた第４実施形態のシール材の断面図である。図８に示すシール材１においては、内部層１５に保護層１４側から層を貫通しないように切込み６２が形成されている。なお、図示しないが、図８のシール材１においては、図５（ａ）と同様に切込み６２が格子状に設けられている。
【００３７】
図８においては、切込み６２は、内部層１５の、ポート２０と対向する面とは反対側の面側（上面側）から設けられているが、ポート２０と対向する面側（下面側）から層を貫通しないように設けてもよい。図８においては、切込み６２は内部層１５に形成されているが、切込み６２は、保護層１４又はシーラント層１６に形成されてもよい。すなわち、内部層１５、保護層１４及びシーラント層１６のうち少なくとも１層に切込み６２を設けることができる。この場合において、切込み６２は各層の上面側からでも下面側からでも形成できる。内部層１５、保護層１４及びシーラント層１６のうち少なくとも１層に切込み６２を設ける場合において、切込み６２は各層を貫通するものであってもよく、層を貫通するものと貫通しないものとが混在していてもよい。層を貫通しない場合は、各層の上面側から形成されたものと下面側から形成されたものが混在していてもよい。
【００３８】
図８においては、切込み６２が設けられている範囲は、粘着剤層１３が設けられている範囲内となっているが、切込み６２は粘着剤層１３の範囲よりも広く形成されていてもよい。
【００３９】
なお、第４実施形態のシール材１における、粘着剤層１３とシーラント層１６との間に、上述した破断層７２を設けてもよい。その場合において、小片化したシール材１の一部は、以下の（ａ）〜（ｅ）
（ａ）粘着剤層１３のみ、
（ｂ）粘着剤層１３及び破断層７２
（ｃ）粘着剤層１３、破断層７２及びシーラント層１６、
（ｄ）粘着剤層１３、破断層７２、シーラント層１６及び内部層１５、
（ｅ）粘着剤層１３、破断層７２、シーラント層１６、内部層１５及び保護層１４、
のいずれかから構成される。
【００４０】
図９は、ポート２０からニードルによる穿刺が行われ、上記（３）の小片化が生じたところを示す断面図である。図９においては、シリンジ本体４４とニードル４６とから構成されるシリンジ４０の内部に異物４２を導入し、これを用いて異物を混入させているところが示されている。ニードル４６は、封止体２６、粘着剤層１３、シーラント層１６、内部層１５及び保護層１４を貫通して、容器本体３４の内部に異物４２が混入されている。ニードル４６の穿刺に際して、粘着剤層１３、シーラント層１６及び内部層１５からなる小片が封止体２６上に付着しており、保護層１４は小片化していない。ニードル４６をシール材１から抜針しても、粘着剤層１３の接着力で小片が封止体２６上に留まり、保護層１４に生じた孔から封止体２６に付着した小片が観察できることから、異物混入の事実が容易に視認することができる。保護層１４を透明又は半透明の樹脂で構成すれば、封止体２６に付着した小片をより明瞭に観察できる。また、シール材１を剥離したときにも、封止体２６上に小片が付着していることが確認できる。
【００４１】
粘着剤層１３、保護層１４、内部層１５、シーラント層１６、破断層７２の厚さは任意であるが、例えば、粘着剤層１３は１０〜１００μｍ、保護層１４は１０〜１００μｍ、内部層１５は１０〜１００μｍ、シーラント層１６は１０〜１５０μｍとすることができる。
【００４２】
第１〜第４実施形態のシール材は、シール材を構成する各層を個別に製造しておき、全体を熱ラミネートして製造できる他、粘着剤層は塗布等の公知の技術によっても製造可能である。
【００４３】
上述したシール材を用いて薬剤容器を提供することができる。図１は、そのような薬剤容器を示す上面図である。図１に示す第１実施形態の薬剤容器３０は、薬剤３２を収容する容器本体３４と、容器本体３４に一端が接続され薬剤３２を流出入させるポート２０とを備え、ポート２０の他端は、実施形態のシール材１で被覆されている。なお、ポート２０はその内部に、薬剤３２の流出を防止する封止体２６を備えている。第１実施形態の薬剤容器３０は、薬剤３２を収容する収容部（薬剤収容部）が１つであるため、単室バッグに相当する。
【００４４】
図１０は、第２実施形態の薬剤容器３０を示す上面図である。図１０に示す薬剤容器３０は、薬剤を収容する収容部（薬剤収容部）を２つにしたこと、すなわち、ポート２０側の第１薬剤収容部に第１薬剤３２aを、ポート２０から離れた側の第２薬剤収容部に第２薬剤３２ｂを収容させたこと以外は、第１実施形態の薬剤容器と同様の構成を有する。第１薬剤収容部と第２薬剤収容部の間は、易剥離性を有する弱シール部３６で仕切られており、薬剤容器３０の使用の直前に弱シール部３６を剥離して、第１薬剤３２ａと第２薬剤３２ｂとを混合させる。なお、薬剤収容部を３以上にしたものであっても、実施形態のシール材１を適用可能である。
【００４５】
第１及び第２実施形態の薬剤容器において、容器本体３４に収容される、薬剤３２、第１薬剤３２a、第２薬剤３２ｂとしては、電解質液（生理食塩水、リンゲル液）、ブドウ糖液、アミノ酸液、ビタミン液、微量元素液等が挙げられる。薬剤は、液状であっても非液状（固形状等）であってもよい。
【００４６】
容器本体３４は、耐熱性、シール強度、透明性、不透湿性、柔軟性等に優れる高分子フィルムで構成させることができ、この高分子フィルムは上記性能向上のため積層体であってもよい。高分子フィルムに用いられる高分子としては、オレフィンの単独又は共重合体、オレフィンとオレフィン以外のエチレン性不飽和結合を有する化合物との共重合体、オレフィン以外のエチレン性不飽和結合を有する化合物の単独又は共重合体が挙げられる。オレフィン共重合体の例としては、エチレン・α-オレフィン共重合体があり、異なる密度を有するエチレン・α-オレフィン共重合体を複数積層した積層体で容器本体３４を構成することも可能である。
【００４７】
ポート２０は、口部２４と、口部２４の一端に嵌め込まれた筒状部２２と、筒状部２２内部に密着して配置され薬剤３２の流出を防止する封止体２６とから構成される。口部２４の他端は開口を覆うようにシール材１で被覆される。筒状部２２は容器本体３４と隙間なく接着（密着接合）されるが、筒状部２２を構成する部材と容器本体３４を構成する最内層とを同一の樹脂として、ヒートシール等により密着接合することが好ましい。
【００４８】
ポート２０は、筒状部２２の上部に封止体２６を挿入した後に、加熱した治具を用いて封止体２６に対して口部２４をプレスして被嵌させることで製造できる。また、シール材１の口部２４への接着は、ヒートシール又は接着剤塗布による接着で実現可能である。
【００４９】
第１実施形態の薬剤容器３０の製造方法としては、以下の方法がある。すなわち、容器本体３４を構成する１組の高分子フィルムについて、ポート２０が挿入される辺以外の３辺の周縁部をヒートシールする。次いで、筒状部２２をヒートシールされていない箇所に挿入した後に、筒状部２２と高分子フィルムとをヒートシールして隙間なく接着させる。筒状部２２を通して薬剤３２を容器本体３４内部に充填し、筒状部２２の上部に封止体２６を挿入した後に、加熱した治具を用いて封止体２６に対して口部２４をプレスして被嵌させる。次いで、シール材１を口部２４にヒートシールするか接着剤塗布で接着する。
【００５０】
第１実施形態の薬剤容器３０の他の製造方法としては、以下の方法がある。すなわち、筒状部２２を、容器本体３４を構成する１組の高分子フィルムで挟み、ヒートシールで隙間なく接着させる。次いで、筒状部２２の上部に封止体２６を挿入した後に、加熱した治具を用いて封止体２６に対して口部２４をプレスして被嵌させ、シール材１を口部２４にヒートシールするか接着剤塗布で接着する。これと同時又はこの後に、ポート２０が挿入されていない１辺を残して、残りの３辺の周縁部をヒートシールする。ヒートシールされていない１辺から薬剤３２を容器本体３４内部に充填し、その後、この辺をヒートシールする。
【００５１】
実施形態の薬剤容器３０は、シール材１でポート２０が被覆されていることから、ポート２０から容器本体３４内部に異物が混入された場合や異物を混入させる試みがされた場合に、小片化したシール材１の一部がポート２０内部の封止体２６上に付着するため、異物が混入されたか混入させる試みがされた薬剤容器３０を正常品と誤認して使用することがなくなる。
【符号の説明】
【００５２】
１…シール材、１１…シール材本体、１３…粘着剤層、１４…保護層、１５…内部層、１６…シーラント層、２０…ポート、２２…筒状部、２４…口部、２６…封止体、３０…薬剤容器、３２…薬剤、３２ａ…第１薬剤、３２ｂ…第２薬剤、３４…容器本体、３６…弱シール部、４０…シリンジ、４２…異物、４４…シリンジ本体、４６…ニードル、６２…切込み、７２…破断層。
【図１】
2019037656.tif 000003
【図２】
2019037656.tif 000004
【図３】
2019037656.tif 000005
【図４】
2019037656.tif 000006
【図５】
2019037656.tif 000007
【図６】
2019037656.tif 000008
【図７】
2019037656.tif 000009
【図８】
2019037656.tif 000010
【図９】
2019037656.tif 000011
【図１０】
2019037656.tif 000012